(57)【要約】【課題】原稿の破損を確実に防止しつつ磁気情報を読み取ることが可能な原稿情報読取装置を提供する。【解決手段】磁性部を有する原稿が載置される原稿載置部と、前記原稿載置部が有する原稿載置面に沿って移動しながら前記原稿載置部上に載置された原稿の前記磁性部から磁気情報を読み取る磁気情報読取手段と、を備えたことを特徴とする。さらに、磁気情報読取手段は、原稿載置面上の原稿が有する前記磁性部に対して着磁を行った後に前記磁性部から磁気情報を読み取ることが好ましい。【選択図】図１
2017038182.tif 000002
【特許請求の範囲】
【請求項１】
磁性部を有する原稿が載置される原稿載置部と、
前記原稿載置部が有する原稿載置面に沿って移動しながら前記原稿載置部上に載置された原稿の前記磁性部から磁気情報を読み取る磁気情報読取手段と、を備えたことを特徴とする原稿情報読取装置。
【請求項２】
磁性部を有する原稿が載置される原稿載置部と、
前記原稿載置部が有する原稿載置面に載置された原稿の傾きを検知する傾き検知手段と、
前記原稿載置面に沿って移動しながら前記原稿載置面上に載置された原稿の前記磁性部から磁気情報を読み取る磁気読取部を有する磁気情報読取手段と、を備え、
前記磁気情報読取手段は、前記傾き検知手段の検知結果に基づいて前記磁気読取部を前記原稿載置面の面方向に初期位置から所定量回転させ、その状態で前記磁気読取部を前記原稿載置面に沿って移動させながら原稿の前記磁性部から磁気情報を読み取った後に、回転させて前記初期位置まで戻されることを特徴とする原稿情報読取装置。
【請求項３】
前記磁気情報読取手段は、前記原稿載置面上の原稿が有する前記磁性部に対して着磁を行った後に前記磁性部から磁気情報を読み取ることを特徴とする請求項１又は２に記載の原稿情報読取装置。
【発明の詳細な説明】
【技術分野】
【０００１】
本発明は、磁気情報を読取可能な原稿情報読取装置に関する。
【背景技術】
【０００２】
商取引や店舗での買い物、レストランでの支払い等においては、小切手等を用いて決済が行われることがある。一般に、小切手の所定の場所（下欄）に、口座番号、金額等が磁気インク文字により印刷されている。小切手による精算処理では、この磁気インク文字を読み取り、読み取ったデータを所定の機関に照会することにより小切手の有効性を確認する。
【０００３】
磁気インク文字を読み取るための技術として、MICR（Magnetic Ink Character Recognition）がある。この技術では、磁気インク文字に含まれる磁気情報を磁気リーダーで読み取り、読み取った磁気情報をもとに文字を認識する。
【０００４】
小切手等の原稿に磁気インクによって印刷されているMICR情報を磁気的に読み取り、読み取った情報に応じて処理を行う画像読取装置がある（特許文献１参照）。
【０００５】
この種の画像読取装置には、銀行の窓口に設置される数枚の原稿を読み取ることを目的とした小型のものと、集められた多量の原稿を高速に読み取ることを目的とした中型／大型のものがある。
【０００６】
いずれの画像読取装置の場合も、給紙部にセットされた原稿束を押圧版によって給紙ローラーを駆動することにより、給紙ローラーと原稿との静止摩擦を利用して原稿を給紙する。
【先行技術文献】
【特許文献】
【０００７】
【特許文献１】特開２００４−２０６３６２号公報
【発明の概要】
【発明が解決しようとする課題】
【０００８】
上記方策では、原稿を搬送する為に、原稿にしわが多かったり、原稿の厚さが薄かったりすると、原稿を搬送する際に、原稿を傷つけてしまう恐れがある。最悪の場合、原稿が破れてしまうと、磁気情報を読み取ることが不可能となってしまう。
【０００９】
特に、米国等で実際に読取対象となる小切手の中には、依頼主によりポケットの中で折りたたまれた状態で保管された小切手も存在し、原稿の損傷が見受けられる。その様な原稿を搬送して、磁気情報の読取を実行すると、原稿を破損させてしまう可能性が残る。
【００１０】
本発明は、原稿の破損を確実に防止しつつ磁気情報を読み取ることが可能な原稿情報読取装置を提供する。
【課題を解決するための手段】
【００１１】
本発明の原稿情報読取装置は、磁性部を有する原稿が載置される原稿載置部と、前記原稿載置部が有する原稿載置面に沿って移動しながら前記原稿載置部上に載置された原稿の前記磁性部から磁気情報を読み取る磁気情報読取手段と、を備えたことを特徴とする。
かかる本発明の態様によれば、原稿を搬送させることなく、しかも磁気情報読取手段が原稿と実質的に非接触状態となるため、原稿の破損を確実に防止しつつ磁気情報を読み取ることができる。
【００１２】
また、本発明の原稿情報読取装置は、磁性部を有する原稿が載置される原稿載置部と、前記原稿載置部が有する原稿載置面に載置された原稿の傾きを検知する傾き検知手段と、前記原稿載置面に沿って移動しながら前記原稿載置面上に載置された原稿の前記磁性部から磁気情報を読み取る磁気読取部を有する磁気情報読取手段と、を備え、前記磁気情報読取手段は、前記傾き検知手段の検知結果に基づいて前記磁気読取部を前記原稿載置面の面方向に初期位置から所定量回転させ、その状態で前記磁気読取部を前記原稿載置面に沿って移動させながら原稿の前記磁性部から磁気情報を読み取った後に、回転させて前記初期位置まで戻されることを特徴とする。
かかる本発明の態様によれば、原稿が傾いた状態で載置されても、原稿を搬送させることなく、しかも磁気情報読取手段が原稿と実質的に非接触状態となるため、原稿の破損を確実に防止しつつ磁気情報を読み取ることができる。
【００１３】
また、上記本発明では、前記磁気情報読取手段は、前記原稿載置面上の原稿が有する前記磁性部に対して着磁を行った後に前記磁性部から磁気情報を読み取ることを特徴としてもよい。
かかる本発明の態様によれば、着磁によって原稿の磁性部の磁気強度が高められるため、より正確に磁気情報を読み取ることができる。
【発明の効果】
【００１４】
本発明によれば、原稿の破損を確実に防止しつつ磁気情報の読み取りが可能な原稿情報読取装置を実現できる。
【００１５】
なお、本発明は、例えば、磁気読取ヘッドの移動が任意の場所に移動可能であり、原稿を制止させた上で磁気情報を読み取ることができる為に、原稿を保護しつつ、かつ確実に磁気情報を読み取ることができ、その結果、磁気情報を高い精度で検出可能な装置の提供が可能となる。
【図面の簡単な説明】
【００１６】
【図１】本発明の実施形態の一例である画像読取装置を説明する為の斜視図。
【図２】本発明の実施形態の一例である画像読取装置を説明する為の斜視図。
【図３】磁気情報信号の一例を示す図。
【図４】磁気情報信号の一例を示す図。
【図５】磁気情報読取部と読取対象の位置関係を説明する為の図。
【図６】磁気情報読取装置の制御系を説明する為のブロック図。
【図７】磁気情報読取装置の制御系を説明する為のフローチャート。
【図８】磁気情報読取装置の制御系を説明する為のブロック図。
【図９】磁気情報読取装置の制御系を説明する為のフローチャート。
【図１０】磁気情報読取装置の制御系を説明する為のブロック図。
【図１１】着磁制御を説明する為の回路図。
【図１２】磁気情報読取装置の制御系を説明する為のフローチャート。
【図１３】磁気情報読取装置の制御系を説明する為のブロック図。
【図１４】磁気情報読取装置の制御系を説明する為のフローチャート。
【図１５】磁気情報読取部の回動機構を説明する為の概念図
【発明を実施するための形態】
【００１７】
以下、本発明を実施の形態に基づいて詳細に説明する。
〔実施形態１〕
図１は、フラットベッド型磁気情報読取装置１の概略図である。磁気情報読取装置１は、磁気情報読取部３を備えており、読取対象２０を載置可能な載置面４と本体２が囲む空間内に配置されている。
【００１８】
載置面４に載置された原稿は、磁気情報読取部３が載置面４に沿って平行に移動することで、磁気情報が読取可能な構成になっている。
【００１９】
また、磁気情報読取装置１は、載置面４を覆う原稿カバー６（蓋部材）を備える。原稿カバー６は、例えば本体２の上面の一辺を回転軸として開閉自在に取り付けられている。原稿カバー６は、図１に示すように開いた状態では載置面か４から上方に離間し、図２に示す様に閉じた状態では、載置面４に載置されている読取対象２０を上部から覆うことが出来る様に構成されている。
【００２０】
ここで、原稿カバー６を閉じた状態の方が、読取対象２０が載置面４に密着する為、磁気情報読取部３との距離がより短くなる。その為、磁気情報読取部３から得られる磁気情報のＳ／Ｎがより良くなる。
【００２１】
次に、磁気情報のＳ／Ｎに関して説明する。図３は、磁気情報信号波形の一例である。縦軸は磁気情報読取部の出力電圧値、横軸は時間の経過を表わす。ここで、磁気情報読取部の出力電圧値Ｖは、単位時間Δtに磁気情報読取部に入り込む磁束の変化量をΔφとした場合に、Ｖ＝−Δφ／Δtと表わされる。この式から、単位時間当たりの磁束の変化量が大きい、または、磁束の変化する時間が短い場合、磁気情報読取部の出力電圧Vがより大きくなることがわかる。
【００２２】
磁気情報は、図３に示したような波形を解析することにより、認識結果を得る。解析は、出力電圧値から信号のピーク位置を検出し、その信号ピーク位置の時間軸の差を求め、ピーク数及びピーク位置の時間差により、磁気情報を認識する。ちなみに、図３の磁気情報信号波形は、Ｅ１３Ｂの「２」または「５」を表わしている。「２」と「５」のどちらかになるかは、ピーク位置の時間差により確定する。その為、磁気情報読取部と原稿の相対速度は一定であることが求められる。
【００２３】
図３の様に信号ピーク位置近傍にノイズが混入すると、前述のピーク位置検出に誤りが発生する可能性がある。その場合、ピーク位置を誤検知することにより磁気情報の誤検知を招く事になる。誤検知を回避する為には、図４の様に、信号レベルをノイズに対して十分大きくし、磁気情報の解析を行う。すなわち、Ｓ／Ｎを良くするということは、上記の通り磁気情報検知精度の向上につながる。
【００２４】
本実施形態における構成では、読取対象２０と磁気情報読取部３の移動方向との角度は任意となる。本実施形態においては、図５の様に２種類の角度関係にある磁気情報辞書データを用いて、任意の角度関係から得られる磁気情報を特定する構成になっている。
【００２５】
図６は、磁気情報読取装置１の制御系を示すブロック図である。図６に示す様に、磁気情報読取装置１の制御系は、磁気情報読取部３、ＣＰＵ１０００、カバー開閉検出部１００１、通信制御部１００７、磁気情報読取制御部１００５、磁気情報読取移動制御部１００８を有する。
【００２６】
通信制御部１００７により、磁気情報読取装置１に外部接続されたＰＣ等の情報端末機器から発行される磁気情報読取開始指示を受けて、ＣＰＵ１０００が磁気情報読取制御部１００５及び磁気情報読取移動制御部１００８に対して、磁気情報読取開始を指示する。
【００２７】
カバー開閉検出部１００１は、カバー６の開閉状態を検出可能である。前述の通り、カバーを開けた状態よりも閉じた状態の方が、読取対象２０と磁気情報読取部３との距離が近く、得られる磁気情報信号のＳ／Ｎ比が良くなる。その為、磁気情報信号のＳ／Ｎによっては、カバー開閉状態を検知して、磁気情報信号の増幅率を変更する、または参照する辞書テーブルを変更する構成としても良い。
【００２８】
次に、図７を参照して、本実施形態の磁気情報読取装置の動作例について説明する。なお、図７での各処理は、不図示のＲＯＭ等に記憶されたプログラムが不図示のＲＡＭにロードされて、ＣＰＵ１０００により実行される。
【００２９】
ステップＳ１０００では、ＣＰＵ１０００は、ホストコンピューター１０から磁気情報読取の指示情報を受信すると、ステップＳ１００1に進む。磁気情報読取の指示は、モード設定が可能である。例えば、静音や低消費電力を意図して低速で磁気情報読取部３を移動させるモードを用意する。
【００３０】
ステップＳ１００１では、カバー開閉検出部１００１がカバーの開閉状態を検出する。
カバーが閉じた状態だと判断すると、ステップＳ１００２へと進み、カバー閉状態に対応した増幅率および辞書テーブルにてＭＩＣＲ読取処理準備を行う。
【００３１】
カバーが開いた状態だと判断すると、ステップＳ１００３へと進み、カバー開状態に対応した増幅率および辞書テーブルにてＭＩＣＲ読取処理準備を行う。
【００３２】
ステップＳ１００４では、磁気情報読取移動制御部１００８により磁気情報読取部３が移動する。その後、ステップＳ１００５に進み、磁気情報読取部３が読取モードに応じた速度で読取対象２０を横切ることにより、磁気情報読取を開始する。
【００３３】
〔実施形態２〕
図８は、磁気情報読取装置１の制御系を示すブロック図である。図８に示す様に、磁気情報読取装置１の制御系は、磁気情報読取部３、ＣＰＵ２０００、カバー開閉検出部２００１、通信制御部２００７、磁気情報読取制御部２００５、磁気情報読取移動制御部２００８と原稿傾き検知部２００９を有する。
【００３４】
通信制御部２００７により、磁気情報読取装置１に外部接続されたＰＣ等の情報端末機器から発行される磁気情報読取開始指示を受けて、ＣＰＵ２０００が磁気情報読取制御部２００５及び磁気情報読取移動制御部２００８に対して、磁気情報読取開始を指示する。
【００３５】
カバー開閉検出部２００１は、カバー６の開閉状態を検出可能である。前述の通り、カバーを開けた状態よりも閉じた状態の方が、読取対象２０と磁気情報読取部３との距離が近く、得られる磁気情報信号のＳ／Ｎ比が良くなる。その為、磁気情報信号のＳ／Ｎによっては、カバー開閉状態を検知して、磁気情報信号の増幅率を変更する、または参照する辞書テーブルを変更する構成としても良い。
【００３６】
原稿傾き検知部２００９は、載置面４に載置された原稿の傾きを検知可能である。
原稿傾き検知部の例としては、本体２の中に例えば画像読取可能なセンサと画像処理部を設けて、載置面４のイメージ画像を取得し、原稿の形状（端部）を検出することで原稿の傾きを検知する構成が挙げられる。この場合、原稿の形状を読み取る際には、原稿傾き検知部２００９と干渉しない位置に磁気情報読取部３が退避し、逆に磁気情報を読み取る際には、磁気情報読取部３と干渉しない位置に原稿傾き検知部２００９が退避する構成を取り、同一の載置面４で原稿の形状と磁気情報を読取可能な構成とする。
【００３７】
次に、図９を参照して、本実施形態の画像読取装置の動作例について説明する。なお、図９での各処理は、不図示のＲＯＭ等に記憶されたプログラムが不図示のＲＡＭにロードされて、ＣＰＵ１６００により実行される。
【００３８】
ステップＳ１６００では、ＣＰＵ１６００は、ホストコンピューター１０から画像読取の指示情報を受信すると、ステップＳ１６０1に進む。磁気情報読取の指示は、モード設定が可能である。例えば、静音や低消費電力を意図して低速で磁気情報読取部３を移動させるモードを用意する。
【００３９】
ステップＳ１６０６では、原稿傾き検知部２００９により載置面４に載置された原稿の傾きを検知し、例えば図１５の様に、原稿の長軸方向に沿って磁気情報読取移動制御部２００８が磁気情報読取部３を回動する。前述の通り、図１５においては、原稿傾き検知部２００９は退避された状態になっている。本実施例では、原稿の長軸方向に沿って磁気情報読取制御部２００８が磁気情報読取部３を制御したが、原稿の短軸方向に沿って磁気情報読取制御２００８が磁気情報読取部３を制御しても良い。  
【００４０】
ステップＳ１６０１では、カバー開閉検出部１６０１がカバーの開閉状態を検出する。
カバーが閉じた状態だと判断すると、ステップＳ１６０２へと進み、カバー閉状態に対応した増幅率および辞書テーブルにてＭＩＣＲ読取処理準備を行う。
【００４１】
カバーが開いた状態だと判断すると、ステップＳ１６０３へと進み、カバー開状態に対応した増幅率および辞書テーブルにてＭＩＣＲ読取処理準備を行う。
【００４２】
ステップＳ１６０４では、磁気情報読取移動制御部１６０８により磁気情報読取部３が移動する。その後、ステップＳ１６０５に進み、磁気情報読取部３が読取モードに応じた速度で読取対象２０を横切ることにより、磁気情報読取を開始する。
【００４３】
〔実施形態３〕
図１０は、磁気情報読取装置１の制御系を示すブロック図である。図１０に示す様に、磁気情報読取装置１の制御系は、磁気情報読取部３、ＣＰＵ３０００、カバー開閉検出部３００１、通信制御部３００７、磁気情報読取制御部３００５、磁気情報読取移動制御部３００８と着磁部３０１０と着磁制御部３０１１を有する。
【００４４】
通信制御部３００７により、磁気情報読取装置１に外部接続されたＰＣ等の情報端末機器から発行される磁気情報読取開始指示を受けて、ＣＰＵ３０００が磁気情報読取制御部３００５及び磁気情報読取移動制御部３００８に対して、磁気情報読取開始を指示する。
【００４５】
カバー開閉検出部３００１は、カバー６の開閉状態を検出可能である。前述の通り、カバーを開けた状態よりも閉じた状態の方が、読取対象２０と磁気情報読取部３との距離が近く、得られる磁気情報信号のＳ／Ｎ比が良くなる。その為、磁気情報信号のＳ／Ｎによっては、カバー開閉状態を検知して、磁気情報信号の増幅率を変更する、または参照する辞書テーブルを変更する構成としても良い。
【００４６】
着磁部３０１０と着磁制御部３０１１によって、載置面４に載置された原稿に印字された磁気情報に対して着磁が可能である。ここで、着磁部３０１０と着磁制御部３０１１の構成としては、例えばソレノイドコイルによる着磁が挙げられる。
【００４７】
コイルに電流を流すことにより磁界を発生させ、着磁対象に物体を磁化させる。コイルに直流電流を流す構成も取られるが、着磁は短時間で済むので、直流電流を流しっぱなしにするのは電力の無駄になる。そこで、図１１の様に大容量コンデンサに電荷を蓄え、瞬間的にコイルに放電して、強い磁界を発生させる構成を取る
【００４８】
図１１では、パルス発生器と充放電制御回路にて、トランスに印可する電圧を可変にする。このパルス発生器と充放電制御回路を合わせた構成を、トランス印可電圧調整部１８００と呼ぶ。１８０１が昇圧トランスであり、トランス印可電圧調整部１８００により印可される電圧を昇圧し、出力側の電圧に出力する。昇圧トランス１８０１から出力された電圧を、清流回路１８０２にて直流電圧を得て、大容量コンデンサ１８０３に電荷を充電する。
【００４９】
大容量コンデンサに充分電荷を蓄えた後に、スイッチ１８０４を導通状態にして、ソレノイドコイル１８０５に瞬間的に電流を流して、ソレノイドコイル１８０５から磁界を発生させる。この磁界により、着磁対象の物体を磁化させることが可能となる。
【００５０】
次に、図１２を参照して、本実施形態の画像読取装置の動作例について説明する。なお、図１２での各処理は、不図示のＲＯＭ等に記憶されたプログラムが不図示のＲＡＭにロードされて、ＣＰＵ１９００により実行される。
【００５１】
ステップＳ１９００では、ＣＰＵ１９００は、ホストコンピューター１０から画像読取の指示情報を受信すると、ステップＳ１９０1に進む。磁気情報読取の指示は、モード設定が可能である。例えば、静音や低消費電力を意図して低速で磁気情報読取部３を移動させるモードを用意する。
【００５２】
ステップＳ１９０６では、着磁制御部３０１１が着磁部３０１０に対して、載置面４に載置された原稿に印字された磁気情報に対して着磁を行う制御を実行する。
【００５３】
ステップＳ１９０１では、カバー開閉検出部３００１がカバーの開閉状態を検出する。
カバーが閉じた状態だと判断すると、ステップＳ１９０２へと進み、カバー閉状態に対応した増幅率および辞書テーブルにてＭＩＣＲ読取処理準備を行う。
【００５４】
カバーが開いた状態だと判断すると、ステップＳ１９０３へと進み、カバー開状態に対応した増幅率および辞書テーブルにてＭＩＣＲ読取処理準備を行う。
【００５５】
ステップＳ１９０４では、磁気情報読取移動制御部３００８により磁気情報読取部３が移動する。その後、ステップＳ１９０５に進み、磁気情報読取部３が読取モードに応じた速度で読取対象２０を横切ることにより、磁気情報読取を開始する。
【００５６】
〔実施形態４〕
図１３は、磁気情報読取装置１の制御系を示すブロック図である。図１３に示す様に、磁気情報読取装置１の制御系は、磁気情報読取部３、ＣＰＵ４０００、カバー開閉検出部４００１、通信制御部４００７、磁気情報読取制御部４００５、磁気情報読取移動制御部４００８と着磁部４０１０と着磁制御部４０１１を有する。
【００５７】
通信制御部４００７により、磁気情報読取装置１に外部接続されたＰＣ等の情報端末機器から発行される磁気情報読取開始指示を受けて、ＣＰＵ４０００が磁気情報読取制御部４００５及び磁気情報読取移動制御部４００８に対して、磁気情報読取開始を指示する。
【００５８】
カバー開閉検出部４００１は、カバー６の開閉状態を検出可能である。前述の通り、カバーを開けた状態よりも閉じた状態の方が、読取対象２０と磁気情報読取部３との距離が近く、得られる磁気情報信号のＳ／Ｎ比が良くなる。その為、磁気情報信号のＳ／Ｎによっては、カバー開閉状態を検知して、磁気情報信号の増幅率を変更する、または参照する辞書テーブルを変更する構成としても良い。
【００５９】
原稿傾き検知部４００９は、載置面４に載置された原稿の傾きおよび載置面４内の原稿位置を検知可能である。
【００６０】
着磁部４０１０と着磁制御部４０１１によって、載置面４に載置された原稿に印字された磁気情報に対して着磁が可能である。また、本実施形態においては、載置面４内の任意の領域のみに対して着磁が可能である。本構成を実現する為の例としては、載置面４全ての領域を移動可能なソレノイドコイルを設け、該当箇所までソレノイドコイルを移動させて、着磁動作を実行することが挙げられる。
【００６１】
次に、図１４を参照して、本実施形態の画像読取装置の動作例について説明する。なお、図１４での各処理は、不図示のＲＯＭ等に記憶されたプログラムが不図示のＲＡＭにロードされて、ＣＰＵ２１００により実行される。
【００６２】
ステップＳ２１００では、ＣＰＵ２１００は、ホストコンピューター１０から画像読取の指示情報を受信すると、ステップＳ２１０1に進む。磁気情報読取の指示は、モード設定が可能である。例えば、静音や低消費電力を意図して低速で磁気情報読取部３を移動させるモードを用意する。
【００６３】
ステップＳ２１０６では、原稿傾き検知部４００９により載置面４に載置された原稿の傾きを検知し、原稿の傾きに応じて磁気情報読取移動制御部４００８が磁気情報読取部３を回動する。
【００６４】
ステップＳ２１０７では、着磁制御部４０１１が着磁部４０１０に対して、原稿傾き検知部４００９により検知された原稿位置に対して、載置面４に載置された原稿に印字された磁気情報に対して着磁を行う制御を実行する。
【００６５】
ステップＳ２１０１では、カバー開閉検出部４００１がカバーの開閉状態を検出する。
カバーが閉じた状態だと判断すると、ステップＳ２１０２へと進み、カバー閉状態に対応した増幅率および辞書テーブルにてＭＩＣＲ読取処理準備を行う。
【００６６】
カバーが開いた状態だと判断すると、ステップＳ２１０３へと進み、カバー開状態に対応した増幅率および辞書テーブルにてＭＩＣＲ読取処理準備を行う。
【００６７】
ステップＳ２１０４では、磁気情報読取移動制御部４００８により磁気情報読取部３が移動する。その後、ステップＳ２１０５に進み、磁気情報読取部３が読取モードに応じた速度で読取対象２０を横切ることにより、磁気情報読取を開始する。
【図１】
2017038182.tif 000003
【図２】
2017038182.tif 000004
【図３】
2017038182.tif 000005
【図４】
2017038182.tif 000006
【図５】
2017038182.tif 000007
【図６】
2017038182.tif 000008
【図７】
2017038182.tif 000009
【図８】
2017038182.tif 000010
【図９】
2017038182.tif 000011
【図１０】
2017038182.tif 000012
【図１１】
2017038182.tif 000013
【図１２】
2017038182.tif 000014
【図１３】
2017038182.tif 000015
【図１４】
2017038182.tif 000016
【図１５】
2017038182.tif 000017